(57)【要約】【課題】複数のアンテナの組み合わせで識別される構成において、アンテナの外形・サイズをほぼ一定としながらも識別する。【解決手段】識別情報が付与された識別情報付与エリア１１ａ〜１１ｄに形成されたフィギュアアンテナ２０ａ〜２０ｄが、ベース基材１０上に導電体２４がベタ状に積層されてなる導電部２１ａ〜２１ｄを有し、導電部２１ａ〜２１ｄのそれぞれが、フィギュアアンテナ２０ａ〜２０ｄの共振周波数が識別情報に応じたものとなる形状にくり抜かれている。【選択図】図１
2016162088.tif 000002
【特許請求の範囲】
【請求項１】
ベース基材に、導電体からなるアンテナが形成された複数の情報担持領域を有し、該複数の情報担持領域のそれぞれに付与された識別情報を前記アンテナを用いて認識可能とし、認識された識別情報の組み合わせによって識別される識別体であって、
前記アンテナは、前記ベース基材上に前記導電体がベタ状に積層されてなる導電部を有し、
前記導電部は、当該アンテナの共振周波数が前記識別情報に応じたものとなる形状であり、スリット状にくり抜かれている識別体。
【請求項２】
請求項１に記載の識別体において、
前記導電部は、当該導電部の端部からくり抜かれている識別体。
【発明の詳細な説明】
【技術分野】
【０００１】
本発明は、アンテナを用いて識別される識別体に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振周波数が互いに異なる複数のアンテナを有し、ＩＣチップを用いずに複数のアンテナの組み合わせでＩＤを識別可能とするものも考えられている。このような識別体としては、複数のアンテナの大きさを異ならせることにより、共振周波数を複数のアンテナ毎に異ならせ、そのアンテナの組み合わせでＩＤを表現可能とする技術が、特許文献１に開示されている。
【先行技術文献】
【特許文献】
【０００４】
【特許文献１】特公平７−８０３８６号公報
【発明の概要】
【発明が解決しようとする課題】
【０００５】
しかしながら、上述したように複数のアンテナの大きさを異ならせることによって共振周波数を複数のアンテナ毎に異ならせるものにおいては、表現されるＩＤによっては、複数のアンテナが形成された領域の広さが広かったり狭かったりして一定のものとならない。そのため、例えば配送伝票等のデザインが決められているものに適用する場合、全体のデザインのバランスが悪くなり、美観性が損なわれてしまうという問題点がある。
【０００６】
また、例えば配送伝票等のように、配送番号等のＩＤが付与される領域が決められている場合、その領域において、共振周波数を異ならせるためにアンテナの外形から突出したスタブ等を設けることが困難であり、例え形成できたとしても、スタブが、隣接するアンテナと接触してしまう虞れがある。さらに、隣接するアンテナ間の距離等がスタブ等によって変化し、この距離の変化の影響の度合いが複雑に変化するため、ＩＤを誤って識別してしまう虞れがある。
【０００７】
本発明は、上述したような従来の技術が有する問題点に鑑みてなされたものであって、複数のアンテナの組み合わせで識別される構成において、アンテナの外形・サイズをほぼ一定としながらも識別することができる識別体を提供することを目的とする。
【課題を解決するための手段】
【０００８】
上記目的を達成するために本発明は、
ベース基材に、導電体からなるアンテナが形成された複数の情報担持領域を有し、該複数の情報担持領域のそれぞれに付与された識別情報を前記アンテナを用いて認識可能とし、認識された識別情報の組み合わせによって識別される識別体であって、
前記アンテナは、前記ベース基材上に前記導電体がベタ状に積層されてなる導電部を有し、
前記導電部は、当該アンテナの共振周波数が前記識別情報に応じたものとなる形状であり、スリット状にくり抜かれている。
【０００９】
上記のように構成された本発明においては、アンテナを構成する導電部が、ベース基材上に導電体がベタ状に積層され、アンテナの共振周波数が識別情報に応じたものとなる形状であり、スリット状にくり抜かれており、共振周波数を検出することによって識別情報が認識され、この識別情報の組み合わせで識別されることになる。
【発明の効果】
【００１０】
本発明によれば、アンテナを構成する導電部が、ベース基材上に導電体がベタ状に積層され、アンテナの共振周波数が識別情報に応じたものとなる形状であり、スリット状にくり抜かれているため、このスリット状のくり抜きを用いて共振周波数が設定されることとなり、それにより、アンテナの共振周波数を検出することによって識別情報を認識し、この識別情報の組み合わせで識別される構成において、識別情報に応じてアンテナの外形・サイズをほぼ一定としながらも識別体を識別することができる。
【図面の簡単な説明】
【００１１】
【図１】本発明の識別体の実施の一形態を示す図であり、（ａ）は全体の構成を示す図、（ｂ）は（ａ）に示した識別情報付与エリアの構成を示す図、（ｃ）は（ｂ）に示したＡ−Ａ’断面図である。
【図２】図１に示したＩＤタグの識別情報付与エリアにおけるフィギュアアンテナの周波数特性を示す図である。
【図３】図２に示したフィギュアアンテナの周波数特性をまとめた図である。
【図４】本発明の識別体を適用した配送伝票の一例を示す図であり、（ａ）は全体の構成を示す図、（ｂ）は（ａ）に示したＩＤ付与領域の詳細な構成を示す図である。
【図５】図４に示した配送伝票のＩＤ付与領域に付与されたＩＤを認識する識別システムの一例を示す図である。
【図６】図５に示した識別システムにおいて、図４に示した配送伝票のＩＤ付与領域に付与されたＩＤを認識する方法を説明するための図であり、（ａ）はＩＤが認識される際の配送伝票の状態を示す図、（ｂ）〜（ｅ）はアンテナを介した電磁波の放射及びフィギュアアンテナからの反射波のアンテナを介した検知の状態を示す図である。
【図７】図５に示したアンテナがフィギュアアンテナに正対していない場合における周波数特性を説明するための図であり、（ａ）はアンテナに正対している場合とアンテナに正対していない場合との周波数特性の一例を示す図、（ｂ）はアンテナに正対している場合とアンテナに正対していない場合との周波数特性の他の例を示す図である。
【発明を実施するための形態】
【００１２】
以下に、本発明の実施の形態について図面を参照して説明する。
【００１３】
図１は、本発明の識別体の実施の一形態を示す図であり、（ａ）は全体の構成を示す図、（ｂ）は（ａ）に示した識別情報付与エリア１１ａの構成を示す図、（ｃ）は（ｂ）に示したＡ−Ａ’断面図である。
【００１４】
本形態による識別体は図１に示すように、紙や樹脂等からなるベース基材１０上に、情報担持領域となる識別情報付与エリア１１ａ〜１１ｄが設けられて構成されたＩＤタグ１である。
【００１５】
識別情報付与エリア１１ａ〜１１ｄのそれぞれには、ベース基材１０上に導電体２４がベタ状に積層されてなる導電部２１ａ〜２１ｄと、ベース基材１０上に導電体２４が積層されていない非導電部２２ａ〜２２ｄとからなり、その外形が互いに略同一であるフィギュアアンテナ２０ａ〜２０ｄが形成されている。
【００１６】
非導電部２２ａ〜２２ｄのそれぞれは、識別情報付与エリア１１ａ〜１１ｄにおいて、導電部２１ａ〜２１ｄがスリット状にくり抜かれることにより構成されている。この非導電部２２ａ〜２２ｄは、それぞれ“Ｌ”の形状を有しているが、“Ｌ”を構成する縦線の長さが互いに異なっている。それにより、導電部２１ａ〜２１ｄの形状が、フィギュアアンテナ２０ａ〜２０ｄの共振周波数が識別情報付与エリア１１ａ〜１１ｄにそれぞれ付与された識別情報に対応したものとなっている。そして、図１（ｂ）に示すように、非導電部２２ａは、導電部２１ａの端部２３から“Ｌ”の形状にくり抜かれて構成されており、他の非導電部２２ｂ〜２２ｄについても同様に、導電部２１ｂ〜２１ｄの端部から、“Ｌ”の形状にくり抜かれて構成されている。これにより、フィギュアアンテナ２０ａ〜２０ｄがその一部にて開放した形状となっている。なお、本形態においては、非導電部２２ａ〜２２ｄの“Ｌ”の縦線の端部が導電部２１ａ〜２１ｄの端部に接しているが、非導電部２２ａ〜２２ｄの“Ｌ”の横線の端部が導電部２１ａ〜２１ｄの端部に接していてもよく、縦線と横線のいずれもが導電部２１ａ〜２１ｄの端部に接していてもよい。
【００１７】
以下に、識別情報付与エリア１１ａ〜１１ｄにおけるフィギュアアンテナ２０ａ〜２０ｄの共振周波数について説明する。
【００１８】
図１に示したＩＤタグ１について、識別情報付与エリア１１ａ〜１１ｄにおけるフィギュアアンテナ２０ａ〜２０ｄの反射係数を測定することによりフィギュアアンテナ２０ａ〜２０ｄの周波数特性を測定した。
【００１９】
図２は、図１に示したＩＤタグ１の識別情報付与エリア１１ａ〜１１ｄにおけるフィギュアアンテナ２０ａ〜２０ｄの周波数特性を示す図である。
【００２０】
ＩＤタグ１に対して電磁波の送受信をするためのアンテナに、非導電部を有さないアンテナが翳された状態においては、６．０ＧＨｚ付近に１つだけ共振点（以下、第１共振点と称する）が検出された。
【００２１】
ところが、フィギュアアンテナ２０ａにパッチアンテナを５ｍｍ程度に近づけると、図２の実線で示すように、４．６ＧＨｚ付近に２つ目の共振点（以下、第２共振点と称する）が検出された。また、フィギュアアンテナ２０ｂにパッチアンテナを５ｍｍ程度に近づけると、図２の破線で示すように、４．９ＧＨｚ付近に第２共振点が検出された。また、フィギュアアンテナ２０ｃにパッチアンテナを５ｍｍ程度に近づけると、図２の一点鎖線で示すように、５．３ＧＨｚ付近に第２共振点が検出された。また、フィギュアアンテナ２０ｄにパッチアンテナを５ｍｍ程度に近づけると、図２の二点鎖線で示すように、５．６ＧＨｚ付近に第２共振点が検出された。
【００２２】
このように、識別情報付与エリア１１ａ〜１１ｄにおけるフィギュアアンテナ２０ａ〜２０ｄの共振周波数は、導電部２１ａ〜２１ｄの形状に応じて、識別情報付与エリア１１ａ〜１１ｄ毎に設定されたものとなる。
【００２３】
図３は、図２に示したフィギュアアンテナ２０ａ〜２０ｄの周波数特性をまとめた図である。
【００２４】
図３に示すように、非導電部を有さないアンテナにおいては第１共振点が６．０ＧＨｚとなるのに対して、フィギュアアンテナ２０ａにおいては、第１共振点が６．１ＧＨｚ、第２共振点が４．６ＧＨｚとなり、また、フィギュアアンテナ２０ｂにおいては、第１共振点が５．９ＧＨｚ、第２共振点が４．９ＧＨｚとなり、また、フィギュアアンテナ２０ｃにおいては、第１共振点が６．１ＧＨｚ、第２共振点が５．３ＧＨｚとなり、また、フィギュアアンテナ２０ｄにおいては、第１共振点が６．１ＧＨｚ、第２共振点が５．６ＧＨｚとなっている。このフィギュアアンテナ２０ａ〜２０ｄの第２共振点に識別情報“１”〜“４”をそれぞれ対応づけることにより、導電部２１ａ〜２１ｄの形状が、フィギュアアンテナ２０ａ〜２０ｄの共振周波数が識別情報付与エリア１１ａ〜１１ｄにそれぞれ付与された識別情報に対応したものとなる。
【００２５】
このように本形態においては、識別情報付与エリア１１ａ〜１１ｄに形成されたフィギュアアンテナ２０ａ〜２０ｄを構成する導電部２１ａ〜２１ｄがスリット状にくり抜かれることにより、導電部２１ａ〜２１ｄの形状が、フィギュアアンテナ２０ａ〜２０ｄの共振周波数が識別情報付与エリア１１ａ〜１１ｄにそれぞれ付与された識別情報に対応したものとなっているため、フィギュアアンテナ２０ａ〜２０ｄの外形・サイズを略同一としながらも異なる識別情報を認識させることができ、それにより、フィギュアアンテナ２０ａ〜２０ｄの外形・サイズをほぼ一定としながらもＩＤタグ１を識別することができる。
【００２６】
以下に、上述したＩＤタグ１を適用した具体例及びそれを用いた識別システムについて説明する。
【００２７】
図４は、本発明の識別体を適用した配送伝票の一例を示す図であり、（ａ）は全体の構成を示す図、（ｂ）は（ａ）に示したＩＤ付与領域３４の詳細な構成を示す図である。
【００２８】
本例における配送伝票３０は図４（ａ）に示すように、この配送伝票３０が貼付されて配送される配送物の配送先の住所や氏名等が表示される配送先情報表示欄３１と、配送物の配送元の住所や氏名等が表示される配送元情報表示欄３２と、配送物の品名が表示される品名表示欄３３と、配送物の配送状況を管理するためのＩＤが付与されたＩＤ付与領域３４とが設けられている。
【００２９】
ＩＤ付与領域３４は図４（ｂ）に示すように、図１に示したＩＤタグ１と同様に、識別情報付与エリア３４ａ〜３４ｄが設けられており、識別情報付与エリア３４ａ〜３４ｄのそれぞれには、ＩＤ付与領域３４に付与されたＩＤに応じたフィギュアアンテナが形成されている。本例においては、識別情報付与エリア３４ａには図１に示したフィギュアアンテナ２０ａが形成され、識別情報付与エリア３４ｂには図１に示したフィギュアアンテナ２０ｄが形成され、識別情報付与エリア３４ｃ，３４ｄには図１に示したフィギュアアンテナ２０ｂがそれぞれ形成されている。すなわち、図３を参照すると、ＩＤ付与領域３４には、“１４２２”というＩＤが付与されていることとなる。このＩＤ“１４２２”は、識別情報付与エリア３４ａ〜３４ｄに形成されたフィギュアアンテナの共振周波数をそれぞれ検出し、さらに、その並び順を認識することで識別することができる。
【００３０】
図５は、図４に示した配送伝票３０のＩＤ付与領域３４に付与されたＩＤを認識する識別システムの一例を示す図である。
【００３１】
本例における識別システムは図５に示すように、アンテナ４１と、電磁波放射部４２と、周波数検出部４３と、ＩＤデータベース４４と、個別ＩＤ認識部４５と、ＩＤ認識部４６とを有している。
【００３２】
電磁波放射部４２は、識別情報付与エリア３４ａ〜３４ｄのそれぞれに対して、フィギュアアンテナ２０ａ〜２０ｄの共振周波数を含む周波数帯をスイープしながら当該周波数帯の電磁波をアンテナ４１を介して放射する。なお、電磁波放射部４２においては、フィギュアアンテナ２０ａ〜２０ｄの共振周波数を含む周波数帯をスイープするのではなく、識別情報付与エリア３４ａ〜３４ｄのそれぞれに対して、フィギュアアンテナ２０ａ〜２０ｄの共振周波数の電磁波を同時に放射する構成としてもよい。すなわち、電磁波放射部４２は、識別情報付与エリア３４ａ〜３４ｄのそれぞれに対して、フィギュアアンテナ２０ａ〜２０ｄの共振周波数を含む複数の周波数の電磁波をアンテナ４１を介して放射するものである。
【００３３】
周波数検出部４３は、識別情報付与エリア３４ａ〜３４ｄのそれぞれに対して電磁波放射部４２から放射された電磁波に対する反射波を、識別情報付与エリア３４ａ〜３４ｄ毎にアンテナ４１を介して検知し、この反射波の共振周波数を検出することにより、識別情報付与エリア３４ａ〜３４ｄに形成されたフィギュアアンテナ２０ａ〜２０ｄの共振周波数を検出する。
【００３４】
ＩＤデータベース４４は、図３に示したように、フィギュアアンテナ２０ａ〜２０ｄの共振周波数と、それに対応する識別情報とが対応づけて登録されている。また、非導電部が形成されていないアンテナの共振周波数が登録されている。
【００３５】
個別ＩＤ認識部４５は、周波数検出部４３にて検出された共振周波数にＩＤデータベース４４にて対応づけられた識別情報を認識する。すなわち、個別ＩＤ認識部４５は、周波数検出部４３にて検出された共振周波数を用いて、識別情報付与エリア３４ａ〜３４ｄに付与された識別情報を識別情報付与エリア３４ａ〜３４ｄ毎に認識する。
【００３６】
ＩＤ認識部４６は、個別ＩＤ認識部４５にて認識された識別情報を、その識別情報に対応する共振周波数が周波数検出部４３にて検出された順番に並べることで、ＩＤ付与領域３４に付与されたＩＤを認識する。
【００３７】
以下に、上記のように構成された識別システムにおいて、図４に示した配送伝票３０のＩＤ付与領域３４に付与されたＩＤを認識する方法について説明する。
【００３８】
図６は、図５に示した識別システムにおいて、図４に示した配送伝票３０のＩＤ付与領域３４に付与されたＩＤを認識する方法を説明するための図であり、（ａ）はＩＤが認識される際の配送伝票３０の状態を示す図、（ｂ）〜（ｅ）はアンテナ４１を介した電磁波の放射及びフィギュアアンテナからの反射波のアンテナ４１を介した検知の状態を示す図である。
【００３９】
電磁波放射部４２から放射された電磁波は、図６（ａ）に示すように配送伝票３０が貼付された配送物２が搬送されるコンベアー３上にアンテナ４１を介して放射される。その際、電磁波放射部４２からは、フィギュアアンテナ２０ａ〜２０ｄの共振周波数を含む周波数帯をスイープするように電磁波が放射されているが、電磁波が放射された領域にフィギュアアンテナ２０ａ〜２０ｄが存在しない場合は、反射波が検知されない。すると、個別ＩＤ認識部４５において、電磁波が放射された領域にフィギュアアンテナが存在しないものと判断される。なお、アンテナ４１は、図６（ａ）に示すようにコンベアー３の上方に設けられているものに限らない。例えば、コンベアー３の下方に設けられており、コンベアー３上を搬送されてくる配送物２に対してコンベアー３を介して電磁波を放射したり、コンベアー３の側方に設けられていてもよい。
【００４０】
そして、図６（ａ）に示すように、配送伝票３０が貼付された配送物２は、コンベアー３上を搬送されてきて、ＩＤ付与領域３４がアンテナ４１に対向するようになる。この際、ＩＤ付与領域３４には、上述したように、識別情報付与エリア３４ａ〜３４ｄが設けられており、コンベアー３上を配送物２が搬送されていくことにより、アンテナ４１が、識別情報付与エリア３４ａ側から識別情報付与エリア３４ａ〜３４ｄに順次対向していくことになる。
【００４１】
アンテナ４１がまず識別情報付与エリア３４ａに対向すると、図６（ｂ）に示すように、電磁波放射部４２から放射された電磁波がアンテナ４１を介して識別情報付与エリア３４ａにおけるフィギュアアンテナ２０ａに放射される。ここで、アンテナ４１は、識別情報付与エリア３４ａ〜３４ｄにおけるフィギュアアンテナ２０ａ〜２０ｄの１つずつに電磁波を照射できるような指向性を有するものとなっている。電磁波放射部４２から放射された電磁波がアンテナ４１を介して識別情報付与エリア３４ａにおけるフィギュアアンテナ２０ａに放射されると、フィギュアアンテナから２０ａの反射波がアンテナ４１を介して検知される。この際、電磁波放射部４２からは、アンテナ４１が識別情報付与エリア３４ａに対向した状態で、フィギュアアンテナ２０ａ〜２０ｄの共振周波数を含む周波数帯をスイープするように電磁波が放射されており、それにより、フィギュアアンテナ２０ａからの反射波によって、フィギュアアンテナ２０ａの共振周波数が周波数検出部４３にて検出される。本例では、図３を参照すると、６．１ＧＨｚと４．６ＧＨｚの共振周波数が検出される。すると、個別ＩＤ認識部４５において、ＩＤデータベース４４が参照され、６．１ＧＨｚと４．６ＧＨｚの共振周波数に対応づけられた識別情報“１”が認識される。
【００４２】
配送物２がコンベアー３上を搬送されていき、次に、アンテナ４１が識別情報付与エリア３４ｂに対向すると、図６（ｃ）に示すように、電磁波放射部４２から放射された電磁波がアンテナ４１を介して識別情報付与エリア３４ｂにおけるフィギュアアンテナ２０ｄに放射され、フィギュアアンテナ２０ｄからの反射波がアンテナ４１を介して検知される。この際上記同様に、電磁波放射部４２からは、アンテナ４１が識別情報付与エリア３４ｂに対向した状態で、フィギュアアンテナ２０ａ〜２０ｄの共振周波数を含む周波数帯をスイープするように電磁波が放射されており、それにより、フィギュアアンテナ２０ｄからの反射波によって、フィギュアアンテナ２０ｄの共振周波数が周波数検出部４３にて検出される。本例では、６．１ＧＨｚと５．６ＧＨｚの共振周波数が検出される。すると、個別ＩＤ認識部４５において、ＩＤデータベース４４が参照され、６．１ＧＨｚと５．６ＧＨｚの共振周波数に対応づけられた識別情報“４”が認識される。
【００４３】
配送物２がコンベアー３上を搬送されていき、次に、アンテナ４１が識別情報付与エリア３４ｃに対向すると、図６（ｄ）に示すように、電磁波放射部４２から放射された電磁波がアンテナ４１を介して識別情報付与エリア３４ｃにおけるフィギュアアンテナ２０ｂに放射され、フィギュアアンテナ２０ｂからの反射波がアンテナ４１を介して検知される。この際上記同様に、電磁波放射部４２からは、アンテナ４１が識別情報付与エリア３４ｃに対向した状態で、フィギュアアンテナ２０ａ〜２０ｄの共振周波数を含む周波数帯をスイープするように電磁波が放射されており、それにより、フィギュアアンテナ２０ｂからの反射波によって、フィギュアアンテナ２０ｂの共振周波数が周波数検出部４３にて検出される。本例では、５．９ＧＨｚと４．９ＧＨｚの共振周波数が検出される。すると、個別ＩＤ認識部４５において、ＩＤデータベース４４が参照され、５．９ＧＨｚと４．９ＧＨｚの共振周波数に対応づけられた識別情報“２”が認識される。
【００４４】
配送物２がコンベアー３上を搬送されていき、次に、アンテナ４１が識別情報付与エリア３４ｄに対向すると、図６（ｅ）に示すように、電磁波放射部４２から放射された電磁波がアンテナ４１を介して識別情報付与エリア３４ｄにおけるフィギュアアンテナ２０ｂに放射され、フィギュアアンテナ２０ｂからの反射波がアンテナ４１を介して検知される。この際上記同様に、電磁波放射部４２からは、アンテナ４１が識別情報付与エリア３４ｄに対向した状態で、フィギュアアンテナ２０ａ〜２０ｄの共振周波数を含む周波数帯をスイープするように電磁波が放射されており、それにより、フィギュアアンテナ２０ｂからの反射波によって、フィギュアアンテナ２０ｂの共振周波数が周波数検出部４３にて検出される。本例では、５．９ＧＨｚと４．９ＧＨｚの共振周波数が検出される。すると、個別ＩＤ認識部４５において、ＩＤデータベース４４が参照され、５．９ＧＨｚと４．９ＧＨｚの共振周波数に対応づけられた識別情報“２”が認識される。
【００４５】
識別情報付与エリア３４ａ〜３４ｄに付与された識別情報がそれぞれ個別ＩＤ認識部４５にて認識されると、ＩＤ認識部４６において、個別ＩＤ認識部４５にて認識された識別情報が、その識別情報に対応する共振周波数が周波数検出部４３にて検出された順番に並べられる。本例においては、周波数検出部４３において、“１”に対応する共振周波数、“４”に対応する共振周波数、“２”に対応する共振周波数、“２”に対応する共振周波数の順番で検出されたため、ＩＤ認識部４６において、これらの数字が、“１”，”４”，”２”，”２”の順番で並べられ、それにより、識別情報“１”，”４”，”２”，”２”がこの順で組み合わされてなる“１４２２”が、ＩＤ付与領域３４に付与されたＩＤとして認識されることになる。
【００４６】
ここで、配送伝票３０が配送物２の側面に貼付されている場合は、アンテナ４１と識別情報付与エリア３４ａ〜３４ｄに形成されたフィギュアアンテナ２０ａ〜２０ｄとが正対しないものとなってしまう。
【００４７】
図７は、図５に示したアンテナ４１がフィギュアアンテナに正対していない場合における周波数特性を説明するための図であり、（ａ）はアンテナ４１に正対している場合とアンテナ４１に正対していない場合との周波数特性の一例を示す図、（ｂ）はアンテナ４１に正対している場合とアンテナ４１に正対していない場合との周波数特性の他の例を示す図である。
【００４８】
図７（ａ）に示す例においては、フィギュアアンテナがアンテナ４１と正対した場合の周波数特性（実線）と、フィギュアアンテナがアンテナ４１に対して垂直な方向に向いた場合の周波数特性（破線）とを比較すると、フィギュアアンテナがアンテナ４１に対して垂直な方向に向いた場合の方が、通信距離が短くなるものの、共振点はほぼ同一のものとなっている。
【００４９】
また、図７（ｂ）に示す例においては、フィギュアアンテナがアンテナ４１と正対した場合の周波数特性（実線）と、フィギュアアンテナがアンテナ４１に対して垂直な方向に向いた場合の周波数特性（破線）とを比較すると、第２共振点がずれている。
【００５０】
このように、フィギュアアンテナがアンテナ４１と正対している場合と、フィギュアアンテナがアンテナ４１に対して垂直な方向に向いている場合とで、共振点がずれる場合もあるが、そのような共振点のずれをデータベースに登録しておくことで、配送伝票３０が配送物２の側面に貼付されている場合であっても、上記同様にしてＩＤを正確に認識することができる。なお、フィギュアアンテナがアンテナ４１に対して垂直な方向に向いている場合は、フィギュアアンテナが開放した側がアンテナ４１に対向すると、通信距離がさらに短くなってしまうが、共振点のずれは、フィギュアアンテナが開放していない側がアンテナ４１に対向している場合と同一であるため、共振点のずれをデータベースに登録しておけばよい。
【００５１】
また、例えば、図４に示した配送伝票３０におけるＩＤ付与領域３４において、識別情報付与エリア３４ｂ，３４ｃにおけるフィギュアアンテナ２０ｄ，２０ｂのようにその両側にもフィギュアアンテナが存在するものと、識別情報付与エリア３４ａ，３４ｄにおけるフィギュアアンテナ２０ａ，２０ｂのようにその片側にしかフィギュアアンテナが存在しないものとでも、周波数特性が若干異なることになるが、これについてもデータベースに共振点を登録しておくことで、上記同様にしてＩＤを正確に認識することができる。これは、フィギュアアンテナの左右方向における両側あるいは片側にフィギュアアンテナが存在する場合に限らず、フィギュアアンテナの上下方向における両側あるいは片側にフィギュアアンテナが存在する場合にも適用することができる。
【００５２】
なお、本形態においては、非導電部２２ａ〜２２ｄが、導電部２１ａ〜２１ｄの端部から“Ｌ”の形状にくり抜かれて構成されているが、くり抜きは端部からではなく、非導電部２２ａ〜２２ｄがその全周にて導電部２１ａ〜２１ｄに囲まれた形状であってもよい。ただし、非導電部２２ａ〜２２ｄの大きさや形状によってフィギュアアンテナ２０ａ〜２０ｄの共振周波数が近接してしまう場合には、導電部２１ａ〜２１ｄの角部を切り欠く等によってフィギュアアンテナ２０ａ〜２０ｄの外形形状を若干異ならせることで、共振周波数の違いを明確にすることができる。このように導電部２１ａ〜２１ｄの角部が切り欠かれる等によって外形形状が若干異なるものも含めて、フィギュアアンテナ２０ａ〜２０ｄの外形が互いに略同一であると定義する。
【００５３】
また、本形態においては、導電部２１ａ〜２１ｄがスリット状にくり抜かれてなる非導電部２２ａ〜２２ｄが、それぞれ“Ｌ”の形状を有しているが、その形状は“Ｌ”に限らないことは言うまでもない。
【符号の説明】
【００５４】
１    ＩＤタグ
２    配送物
３    コンベアー
１０    ベース基材
１１ａ〜１１ｄ，３４ａ〜３４ｄ    識別情報付与エリア
２０ａ〜２０ｄ    フィギュアアンテナ
２１ａ〜２１ｄ    導電部
２２ａ〜２２ｄ    非導電部
２３    端部
２４    導電体
３０    配送伝票
３１    配送先情報表示欄
３２    配送元情報表示欄
３３    品名表示欄
３４    ＩＤ付与領域
４１    アンテナ
４２    電波放射部
４３    周波数検出部
４４    ＩＤデータベース
４５    個別ＩＤ認識部
４６    ＩＤ認識部
【図１】
2016162088.tif 000003
【図２】
2016162088.tif 000004
【図３】
2016162088.tif 000005
【図４】
2016162088.tif 000006
【図５】
2016162088.tif 000007
【図６】
2016162088.tif 000008
【図７】
2016162088.tif 000009